(57)【要約】【課題】ズボン内への風通しを確保しつつ、ズボンの裾の濡れを防ぐことのできるレインパンツを提供する。【解決手段】レインパンツ１は、ズボンの上に着用されるレインパンツであって、本体部１０、及び固定手段２０を備えている。本体部１０は、股上部１２及び一対の股下部１４からなる。股上部１２は、着用者の臀部を覆う部分である。股下部１４は、股上部１２に連設され、着用者の両脚を覆う部分である。固定手段２０は、本体部１０をズボンの裾に固定する手段である。本体部１０は、股下部１４の下端部がズボンの裾を巻き込むように内側に折り返された状態で、固定手段２０によって裾に固定される。【選択図】図１
2019052414.tif 000002
【特許請求の範囲】
【請求項１】
ズボンの上に着用されるレインパンツであって、
着用者の臀部を覆う股上部と、前記股上部に連設され、前記着用者の両脚を覆う一対の股下部とからなる本体部と、
前記本体部を前記ズボンの裾に固定する下側固定手段と、を備え、
前記本体部は、前記股下部の下端部が前記裾を巻き込むように内側に折り返された状態で、前記下側固定手段によって前記裾に固定されることを特徴とするレインパンツ。
【請求項２】
請求項１に記載のレインパンツにおいて、
前記下側固定手段は、前記裾を挟むようにして前記本体部を当該裾に固定するレインパンツ。
【請求項３】
請求項２に記載のレインパンツにおいて、
前記下側固定手段は、前記裾を挟むように塑性変形することが可能な第１の可塑性部材を有するレインパンツ。
【請求項４】
請求項３に記載のレインパンツにおいて、
前記第１の可塑性部材は、線状をしており、前記股下部の高さ方向に延在しているレインパンツ。
【請求項５】
請求項４に記載のレインパンツにおいて、
前記各股下部には、複数の前記第１の可塑性部材が取り付けられているレインパンツ。
【請求項６】
請求項５に記載のレインパンツにおいて、
前記各股下部において前記複数の第１の可塑性部材は、当該股下部の周方向に沿って等間隔で配設されているレインパンツ。
【請求項７】
請求項４乃至６の何れかに記載のレインパンツにおいて、
前記第１の可塑性部材の長さは、５ｃｍ以上１５ｃｍ以下であるレインパンツ。
【請求項８】
請求項３乃至７の何れかに記載のレインパンツにおいて、
前記第１の可塑性部材は、前記股下部の外面に取り付けられているレインパンツ。
【請求項９】
請求項３乃至７の何れかに記載のレインパンツにおいて、
前記第１の可塑性部材は、前記股下部の内面に取り付けられているレインパンツ。
【請求項１０】
請求項２乃至９の何れかに記載のレインパンツにおいて、
前記下側固定手段は、前記股下部の上から前記裾を挟むクリップを有するレインパンツ。
【請求項１１】
請求項１乃至１０の何れかに記載のレインパンツにおいて、
前記ズボンの折目を保護する折目保護手段を備えるレインパンツ。
【請求項１２】
請求項１１に記載のレインパンツにおいて、
前記折目保護手段は、前記折目を跨ぐように山形に塑性変形することが可能な第２の可塑性部材を有するレインパンツ。
【請求項１３】
請求項１２に記載のレインパンツにおいて、
前記第２の可塑性部材は、線状をしており、前記股下部の周方向に延在しているレインパンツ。
【請求項１４】
請求項１３に記載のレインパンツにおいて、
前記各股下部には、複数の前記第２の可塑性部材が取り付けられているレインパンツ。
【請求項１５】
請求項１４に記載のレインパンツにおいて、
前記各股下部において前記複数の第２の可塑性部材は、当該股下部の高さ方向について複数の箇所に分かれて配設されているレインパンツ。
【請求項１６】
請求項１２乃至１５の何れかに記載のレインパンツにおいて、
前記第２の可塑性部材は、前記股下部の外面に取り付けられているレインパンツ。
【請求項１７】
請求項１２乃至１５の何れかに記載のレインパンツにおいて、
前記第２の可塑性部材は、前記股下部の内面に取り付けられているレインパンツ。
【請求項１８】
請求項１乃至１７の何れかに記載のレインパンツにおいて、
前記本体部の上端部を前記ズボン又は前記着用者の腰に固定する上側固定手段を備えるレインパンツ。
【請求項１９】
請求項１８に記載のレインパンツにおいて、
前記上側固定手段は、前記本体部の前記上端部に取り付けられた伸縮性をもつ紐状部材を有するレインパンツ。
【請求項２０】
請求項１９に記載のレインパンツにおいて、
前記紐状部材は、ゴム紐であるレインパンツ。
【請求項２１】
請求項１８乃至２０の何れかに記載のレインパンツにおいて、
前記上側固定手段は、前記本体部の前記上端部に取り付けられた面ファスナーを有するレインパンツ。
【発明の詳細な説明】
【技術分野】
【０００１】
本発明は、ズボンの上に着用されるレインパンツに関する。
【背景技術】
【０００２】
従来のレインパンツとしては、例えば特許文献１に記載されたものがある。同文献に記載されたレインパンツは、防水性を有しており、ズボンの上に重ねて着用される。詳細には、このレインパンツは、ズボンと靴とを覆うように構成されている。これにより、雨天時であっても、ズボンの裾が雨で濡れるのを防ぐことができる。
【先行技術文献】
【特許文献】
【０００３】
【特許文献１】特許第６２５６７３１号公報
【発明の概要】
【発明が解決しようとする課題】
【０００４】
しかしながら、上述のレインパンツにおいては、ズボンだけでなく靴までもが覆われるため、ズボンの裾の内側への空気の流入が妨げられてズボン内への風通しが悪くなるという問題がある。かかる風通しの悪さは、ズボン内で脚が蒸れる原因となってしまう。
【０００５】
本発明は、上記課題に鑑みてなされたものであり、ズボン内への風通しを確保しつつ、ズボンの裾の濡れを防ぐことのできるレインパンツを提供することを目的とする。
【課題を解決するための手段】
【０００６】
本発明によるレインパンツは、ズボンの上に着用されるレインパンツであって、着用者の臀部を覆う股上部と、上記股上部に連設され、上記着用者の両脚を覆う一対の股下部とからなる本体部と、上記本体部を上記ズボンの裾に固定する下側固定手段と、を備え、上記本体部は、上記股下部の下端部が上記裾を巻き込むように内側に折り返された状態で、上記下側固定手段によって上記裾に固定されることを特徴とする。
【０００７】
このレインパンツにおいては、股下部の下端部がズボンの裾を巻き込むように内側に折り返される。これにより、ズボンの裾の外面から内面にかけて本体部（股下部）で覆われるため、裾が濡れるのを防ぐことができる。しかも、本体部は、下側固定手段によってズボンの裾に直接固定される。このため、裾と脚との間に、裾の内側への空気の流入経路となる隙間を維持することができる。
【発明の効果】
【０００８】
本発明によれば、ズボン内への風通しを確保しつつ、ズボンの裾の濡れを防ぐことのできるレインパンツが実現される。
【図面の簡単な説明】
【０００９】
【図１】本発明によるレインパンツの一実施形態を示す斜視図である。
【図２】図１のレインパンツを示す正面図である。
【図３】図１のレインパンツを示す背面図である。
【図４】レインパンツ１を着用した状態を示す斜視図である。
【図５】図４の状態におけるズボンの裾と股下部１４との位置関係を表す模式図である。
【図６】レインパンツ１の効果を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明によるレインパンツの一実施形態を示す斜視図である。また、図２及び図３は、それぞれ、図１のレインパンツを示す正面図及び背面図である。レインパンツ１は、ズボンの上に着用されるレインパンツであって、本体部１０、固定手段２０（下側固定手段）、固定手段３０（上側固定手段）、及び折目保護手段４０を備えている。
【００１２】
本体部１０は、ズボン型をしており、股上部１２及び一対の股下部１４からなる。股上部１２は、着用者の臀部を覆う部分である。詳細には、股上部１２は、着用者の臀部及び下腹部をズボンの上から覆う。股下部１４は、股上部１２に連設されている。股下部１４は、着用者の両脚を覆う部分である。詳細には、各股下部１４は、筒状をしており、着用者の脚をズボンの上から覆う。本体部１０は、防水性を有している。本体部１０は、柔らかい素材からなる。本体部１０の素材としては、例えば、プラスチック又はゴムを用いることができる。
【００１３】
固定手段２０は、本体部１０をズボンの裾に固定する手段である。後述するように、本体部１０は、各股下部１４の下端部がズボンの裾を巻き込むように内側に折り返された状態で、固定手段２０によって裾に固定される。固定手段２０は、ズボンの裾を挟むようにして本体部１０を裾に固定する。固定手段２０は、可塑性部材２２（第１の可塑性部材）を有している。可塑性部材２２は、股下部１４の下端部に取り付けられている。可塑性部材２２は、股下部１４の外面に取り付けられていてもよいし、股下部１４の内面に取り付けられていてもよい。図１乃至図３においては、可塑性部材２２が股下部１４の外面に取り付けられている場合を示している。
【００１４】
可塑性部材２２は、裾を挟むように塑性変形することが可能である。可塑性部材２２は、線状をしており、股下部１４の高さ方向（図１乃至図３の上下方向に概ね等しい。）に延在してる。可塑性部材２２の一端は、股下部１４の下端に達している。可塑性部材２２の長さｄ１（図２参照）は、例えば、５ｃｍ以上１５ｃｍ以下である。また、可塑性部材２２の幅ｄ２は、例えば、２ｍｍ以上１０ｍｍ以下である。可塑性部材２２の材料としては、例えば、金属又はプラスチックを用いることができる。本実施形態において各股下部１４には、複数（具体的には４つ）の可塑性部材２２が取り付けられている。各股下部１４において複数の可塑性部材２２は、股下部１４の周方向に沿って等間隔で配設されている。
【００１５】
固定手段３０は、本体部１０の上端部（股上部１２の上端部）をズボン又は着用者の腰に固定する手段である。固定手段３０は、伸縮性を有する紐状部材３２からなる。紐状部材３２は、本体部１０の上端部に取り付けられている。紐状部材３２の取付けは、例えば、本体部１０の上端部を数ｃｍ程度だけ折り返して袋状にし、その袋状の部分に紐状部材３２を通すことにより行うことができる。紐状部材３２としては、例えばゴム紐を用いることができる。
【００１６】
折目保護手段４０は、ズボンの折目（センタークリース）を保護する手段である。折目保護手段４０は、可塑性部材４２（第２の可塑性部材）を有している。可塑性部材４２は、股下部１４の外面に取り付けられていてもよいし、股下部１４の内面に取り付けられていてもよい。図１乃至図３においては、可塑性部材４２が股下部１４の外面に取り付けられている場合を示している。
【００１７】
可塑性部材４２は、ズボンの折目を跨ぐように山形に塑性変形することが可能である。可塑性部材４２は、線状をしており、股下部１４の周方向に延在している。可塑性部材４２の長さｄ３（図２参照）は、例えば、５ｃｍ以上１０ｃｍ以下である。また、可塑性部材４２の幅ｄ４は、例えば、２ｍｍ以上１０ｍｍ以下である。可塑性部材４２の材料としては、例えば、金属又はプラスチックを用いることができる。
【００１８】
本実施形態において各股下部１４には、複数（具体的には６つ）の可塑性部材４２が取り付けられている。各股下部１４において複数の可塑性部材４２（可塑性部材４２ａ，４２ｂ，４２ｃ）は、股下部１４の高さ方向について複数の箇所（具体的には３箇所）に分かれて配設されている。詳細には、各股下部１４においては、上端の近傍に２つの可塑性部材４２ａが、中央の近傍に２つの可塑性部材４２ｂが、固定手段２０の近傍に２つの可塑性部材４２ｃが設けられている。
【００１９】
図４は、レインパンツ１を着用した状態を示す斜視図である。また、図５は、図４の状態におけるズボンの裾と股下部１４との位置関係を表す模式図である。これらの図を参照しつつ、レインパンツ１の着用方法の一例を説明する。まず、図４に示すように、股下部１４に脚を通すようにしてズボン９２の上から本体部１０を履く。このとき、本体部１０の上端が着用者の腰付近にくるとともに折目保護手段４０がズボン９２の折目９３上にくるように、本体部１０の位置を調整する。
【００２０】
次に、図５に示すように、ズボン９２の裾を巻き込むように股下部１４の下端部を内側に折り返す。その際、同時に、可塑性部材２２を二つ折りにして裾を挟むように塑性変形させる。そうすることにより、股下部１４の下端部が内側に折り返された状態で、本体部１０を裾に固定することができる。なお、図５においては、見やすくするためにズボン９２と股下部１４との間に隙間を空けて描いているが、実際には両者は密着している。
【００２１】
レインパンツ１の効果を説明する。レインパンツ１においては、股下部１４の下端部がズボンの裾を巻き込むように内側に折り返される。これにより、ズボンの裾の外面から内面にかけて本体部１０（股下部１４）で覆われるため、裾が濡れるのを防ぐことができる。しかも、本体部１０は、固定手段２０によってズボンの裾に直接固定される。このため、裾と脚との間に、裾の内側への空気の流入経路となる隙間を維持することができる。したがって、ズボン内への風通しを確保しつつ、ズボンの裾の濡れを防ぐことのできるレインパンツ１が実現されている。
【００２２】
固定手段２０は、ズボンの裾を挟むようにして本体部１０を裾に固定する。これにより、股下部１４の下端部が裾を巻き込むように内側に折り返された状態を確実に維持しやすくなる。
【００２３】
固定手段２０は、可塑性部材２２を有している。この場合、可塑性部材２２を二つに折り曲げることで裾に対して本体部１０を固定することができるとともに、可塑性部材２２を真っ直ぐに伸ばすことで裾に対する本体部１０の固定を解除することができる。このため、裾に対する本体部１０の固定及びその解除を容易に行うことができる。
【００２４】
可塑性部材２２は、線状をしており、股下部１４の高さ方向に延在している。このように可塑性部材２２を股下部１４の高さ方向に細長くすることにより、可塑性部材２２を裾を挟むように塑性変形させやすくなる。
【００２５】
各股下部１４には、複数の可塑性部材２２が取り付けられている。この場合、複数の可塑性部材２２で裾を挟むことができるため、裾に対して本体部１０を安定的に固定するのに有利である。
【００２６】
各股下部１４において複数の可塑性部材２２は、股下部１４の周方向に沿って等間隔で配設されている。このように複数の可塑性部材２２をバランス良く配置することにより、多数（概ね７つ以上）の可塑性部材２２を設けなくても、裾に対する本体部１０の固定を効率的に安定化させることができる。
【００２７】
可塑性部材２２が股下部１４の外面に取り付けられている場合、股下部１４の下端部を内側に折り返す際、股下部１４の外側から可塑性部材２２を指で直接摘むことができる。このため、可塑性部材２２を折り曲げる動作を行いやすいという利点がある。
【００２８】
他方、可塑性部材２２が股下部１４の内面に取り付けられている場合、可塑性部材２２が股下部１４の内側に隠れるため、レインパンツ１の美観を高めるのに有利である。
【００２９】
レインパンツ１には、本体部１０の上端部をズボン又は着用者の腰に固定する固定手段３０が設けられている。これにより、本体部１０がずり落ちにくくなる。ただし、固定手段３０を設けることは、必須でない。
【００３０】
固定手段３０は、伸縮性をもつ紐状部材３２を有している。このため、ズボンの上から本体部１０を履くだけで、紐状部材３２の収縮力が働いて本体部１０の上端部をズボン又は着用者の腰に自動的に固定することができる。
【００３１】
レインパンツ１には、ズボンの折目を保護する折目保護手段４０が設けられている。このため、本体部１０で圧迫されることによりズボンの折目が消えてしまう事態を回避することができる。ただし、折目保護手段４０を設けることは、必須でない。
【００３２】
ところで、ズボンの折目は、濡れたときに特に消えやすくなる。この点、レインパンツ１においては、本体部１０により折目の濡れが防止されるとともに、折目保護手段４０により折目に対する圧迫も防止される。このように折目を保護するために二重の対策が施されているため、折目が消える事態を回避するのに特に有利である。
【００３３】
折目保護手段４０は、可塑性部材４２を有している。このため、図６に示すように、折目９３を跨ぐように可塑性部材４２を折り曲げて塑性変形させることにより、股下部１４と折目９３との間に隙間を設けることができる。同図は、股下部１４の高さ方向から見た図である。これにより、折目９３が本体部１０（股下部１４）で圧迫されるのを防ぐことができる。このように可塑性部材４２を用いることにより、簡易な構成で、折目保護手段４０を実現することができる。
【００３４】
可塑性部材４２は、線状をしており、股下部１４の周方向に延在している。このように可塑性部材４２を股下部１４の周方向に細長くすることにより、可塑性部材４２を折目を跨ぐように塑性変形させやすくなる。
【００３５】
各股下部１４には、複数の可塑性部材４２が取り付けられている。この場合、複数の可塑性部材４２で折目を保護することができるため、可塑性部材４２が１つしか設けられていない場合に比して、より効果的に折目を保護することができる。
【００３６】
各股下部１４において複数の可塑性部材４２は、当該股下部１４の高さ方向について複数の箇所に分かれて配設されている。この場合、１本の折目を複数の可塑性部材４２で保護することができるため、可塑性部材４２が股下部１４の高さ方向について１箇所にしか設けられていない場合に比して、より効果的に折目を保護することができる。
【００３７】
可塑性部材４２が股下部１４の外面に取り付けられている場合、股下部１４の外側から可塑性部材４２を指で直接摘むことができる。このため、可塑性部材４２を折り曲げる動作を行いやすいという利点がある。
【００３８】
他方、可塑性部材４２が股下部１４の内面に取り付けられている場合、可塑性部材４２が股下部１４の内側に隠れるため、レインパンツ１の美観を高めるのに有利である。  
【００３９】
本発明は、上記実施形態に限定されるものではなく、様々な変形が可能である。上記実施形態において固定手段２０は、可塑性部材２２に代えて、あるいは可塑性部材２２と共に、股下部１４の上からズボンの裾を挟むクリップを有していてもよい。その場合、クリップの付勢力により、裾に対する本体部１０の固定を強化することができる。
【００４０】
上記実施形態において固定手段３０は、紐状部材３２に代えて、あるいは紐状部材３２と共に、本体部１０の上端部に取り付けられた面ファスナーを有していてもよい。その場合、面ファスナーのフックとループとの位置関係を変えることにより、着用者の腰回りのサイズに応じてフレキシブルに本体部１０の上端部の径（周長）を調整することができる。
【符号の説明】
【００４１】
１  レインパンツ
１０  本体部
１２  股上部
１４  股下部
２０  固定手段（下側固定手段）
２２  可塑性部材（第１の可塑性部材）
３０  固定手段（上側固定手段）
３２  紐状部材
４０  折目保護手段
４２  可塑性部材（第２の可塑性部材）
９２  ズボン
９３  折目
【図１】
2019052414.tif 000003
【図２】
2019052414.tif 000004
【図３】
2019052414.tif 000005
【図４】
2019052414.tif 000006
【図５】
2019052414.tif 000007
【図６】
2019052414.tif 000008